(57)【要約】【課題】簡素な構成としながらも棚面の高さ位置を容易に変更可能な棚部材を有したロッカーを提供する。【解決手段】本発明に係るに係るロッカーは、対向壁をなす側壁１６、仕切壁１７間に形成された収納空間Ｓを有するロッカー本体１と、対向壁に設けられた対をなす棚受け２と、この棚受け２に対し所定の向きで取り付けられた第一の姿勢Ｐ及び当該第一の姿勢Ｐから反転させて第一の姿勢Ｐよりも物品を載置するための棚面３ａの高さ位置を異ならせた第二の姿勢Ｑを選択的にとり得る棚部材３とを具備することを特徴とする。【選択図】図１
2018051096.tif 000002
【特許請求の範囲】
【請求項１】
対向壁間に形成された収納空間を有するロッカー本体と、
前記対向壁に設けられた対をなす棚受けと、
この棚受けに対し所定の向きで取り付けられた第一の姿勢及び当該第一の姿勢から反転させて前記第一の姿勢よりも物品を載置するための棚面の高さ位置を異ならせた第二の姿勢を選択的にとり得る棚部材と
を具備することを特徴とするロッカー。
【請求項２】
前記対をなす棚受けが同一高さに設けられたものであり、
前記棚部材が概略コ字形をなすものであって、当該棚部材を上下反転して前記棚面の高さ位置を変更可能としている請求項１記載のロッカー。
【請求項３】
対をなす棚受けが異なる高さに設けられたものであり、
前記棚部材が略Ｌ字形をなすものであって、当該棚部材を上下反転又は左右反転して前記棚面の高さを変更可能としている請求項１に記載のロッカー。
【請求項４】
前記棚部材が、幅方向端部に設けられて前記棚受けと係合するフレームと、少なくとも一方のフレームから高さ方向に延びる腕部と、この腕部の延出端に設けられる前記棚面を有する棚部とを有し、前記棚受けが上向き開口形状のものである請求項２又は３に記載のロッカー。
【請求項５】
前記腕部の延出方向と棚面とのなす角度が９０°より大きい請求項４に記載のロッカー。
【請求項６】
前記棚受けに垂直方向に２以上の前記フレームを係合可能としている請求項４又は５記載のロッカー。
【請求項７】
前記棚受けに水平方向に２以上のフレームを係合可能としている請求項４、５又は６記載のロッカー。
【請求項８】
二つの収納空間を仕切る仕切壁によって仕切られた互いに隣接する複数の収納空間を有するものであり、
前記仕切壁に取り付けられ当該仕切壁から二つの収納空間へ向けて突出する対をなす棚受けを有する棚受け部材を有している請求項１〜７の何れかに記載のロッカー。
【請求項９】
前記棚受け部材が、奥行き方向に前記棚受けを間欠的に複数有している請求項８記載のロッカー。
【請求項１０】
前記棚受けが、前記対をなす対向壁にそれぞれ一箇所のみ設けられている請求項１〜９の何れかに記載のロッカー。
【発明の詳細な説明】
【技術分野】
【０００１】
本発明は、オフィスや更衣室等において好適に用いられているロッカーに関するものである。
【背景技術】
【０００２】
従来、オフィスや更衣室等において好適に用いられているロッカーが種々提案されている。そしてこの種のロッカーにおいては、対向壁間に形成された収納空間を有するロッカー本体と、収納空間を構成する立壁に設けられた棚受けと、この棚受けに取り付けられた棚部材とを有するものが周知である。従来斯かるロッカーの多くのもの、特にスチール製のロッカー本体を具備するものにおいては、棚部材が溶接によりロッカー本体に固定され棚面の高さ位置が一定となっている。このようなロッカーでは、例えば、女性などはロングコートの裾が棚部材に不自然に接触したり、ロングブーツが棚部材の下側空間に収まらなかったりといった不具合を招来していた。
【０００３】
また一部の収納家具においては特許文献１に記載されているように、対をなす対向壁に棚板を高さ位置変更可能に支持し得る棚受けを設けたロッカーも提案されている。
【先行技術文献】
【特許文献】
【０００４】
【特許文献１】実開昭５６−１６６８４５号公報
【発明の概要】
【発明が解決しようとする課題】
【０００５】
しかしながら、上記特許文献１のようなものでは、ロッカーを構成する部品点数が多くなるとともに、その部品自体の構造も複雑になっている。つまり現状では、棚面の高さ位置を変更可能な構成を、簡素且つ容易に実現し得るものが求められている。
【０００６】
すなわち本発明は、上記のような課題を解消することを目的としており、簡素な構成としながらも棚面の高さ位置を容易に変更可能な棚部材を有したロッカーを提供することを目的とするものである。
【課題を解決するための手段】
【０００７】
本発明は、かかる目的を達成するために、次のような手段を講じたものである。
【０００８】
すなわち、本発明に係るロッカーは、対向壁間に形成された収納空間を有するロッカー本体と、前記対向壁に設けられた対をなす棚受けと、この棚受けに対し所定の向きで取り付けられた第一の姿勢及び当該第一の姿勢から反転させて前記第一の姿勢よりも物品を載置するための棚面の高さ位置を異ならせた第二の姿勢を選択的にとり得る棚部材とを具備することを特徴とする。
【０００９】
ここで、「反転」とは上下方向の反転に限られず、左右方向の反転や、上下方向且つ左右方向の反転をも含まれることは勿論である。
【００１０】
このようなものであれば、棚板を反転させるという簡便な作業のみで棚面の高さ位置を変更することが可能となり、使用者は自身の用途に応じた棚面を容易に選択することができる。すなわち本発明によれば、簡素な構成としながらも棚面の高さ位置を容易に変更可能な棚部材を有したロッカーを実現することができる。
【００１１】
また、棚面への荷重の掛かり方を均等とし、棚部材の姿勢変更に係る操作方法が直感的に解かり易いようにするためには、対をなす棚受けを同一高さに設け、棚部材が概略コ字形をなすものとして、当該棚部材を上下反転して前記棚面の高さ位置を変更可能としている態様とすることが望ましい。
【００１２】
そして、部材の姿勢変更に係る操作方法が直感的に解かり易いようにするための他の態様として、対をなす棚受けを異なる高さに設けられたものとし、棚部材を略Ｌ字形をなすものとして、当該棚部材を上下反転又は左右反転して棚面の高さを変更可能としている態様を挙げることができる。
【００１３】
棚受けに対する係脱操作を簡単なものとするためには、棚部材を、幅方向端部に設けられて棚受けと係合するフレームと、少なくとも一方のフレームから高さ方向に延びる腕部と、この腕部の延出端に設けられる棚面を有する棚部とを有し、棚受けが上向き開口形状のものとすることが好ましい。
【００１４】
棚部材を回転により反転するときに壁との干渉を有効に回避できるようにするためには、腕部の延出方向と棚面とのなす角度を９０°より大きい鈍角とすることが望ましい。
【００１５】
複数の棚部材を適用することにより、収納空間の仕切り形態のバリエーションをより多くするためには、棚受けを、垂直方向に２以上のフレームを係合可能なものとしたり、水平方向に２以上のフレームを係合可能なものとしたりすることが望ましい。
【００１６】
部品点数を削減することで製造工程の簡素化並びに棚部材の組み付け作業の簡略化を実現するためには、二つの収納空間を仕切る仕切壁によって仕切られた互いに隣接する複数の収納空間を有するものとし、仕切壁に取り付けられ当該仕切壁から二つの収納空間へ向けて突出する対をなす棚受けを有する棚受け部材を有しているものとすることが望ましい。
【００１７】
そして、仕切壁へ加工面積を抑えることで仕切壁自体の強度を担保しつつ好適に棚受けの取り付けを行うためには、棚受け部材を、奥行き方向に棚受けを間欠的に複数設けている態様とすることが望ましい。
【００１８】
また本発明に係るロッカーでは、棚受けが、前記対をなす対向壁にそれぞれ一箇所のみ設けられている態様としても上述の通り、棚部材による収納空間の種々の仕切り形態を実現することができる。
【発明の効果】
【００１９】
本発明は、以上説明した構成であるから、簡素な構成としながらも棚面の高さ位置を容易に変更可能な棚部材を有したロッカーを実現することができる。
【図面の簡単な説明】
【００２０】
【図１】本発明の一実施形態に係る一部を破断して示す外観図。
【図２】同実施形態に係る構成説明図。
【図３】同上。
【図４】同実施形態に係る斜視図。
【図５】同実施形態に係る作用説明図。
【図６】本発明の第二実施形態に係る斜視図。
【図７】同実施形態に係る構成説明図。
【発明を実施するための形態】
【００２１】
＜第一実施形態＞
【００２２】
以下、本発明の第一実施形態を、図１〜図５を参照して説明する。
【００２３】
図１に示すように、本実施形態のロッカーは、対向壁間に形成され扉体１２により開閉可能に構成された収納空間Ｓを有するロッカー本体１と、対向壁に設けられた対をなす棚受け２と、この棚受け２に対し所定の向きで取り付けられた第一の姿勢（Ｐ）及び当該第一の姿勢（Ｐ）から反転させて前記第一の姿勢（Ｐ）よりも物品を載置するための棚面３ａの高さ位置を異ならせた第二の姿勢（Ｑ）を選択的にとり得る棚部材３とを具備するものである。この棚部材３は通常ロッカーに設けられた各収納空間Ｓにつき一つずつ配置されるようにしているが図１に示すように棚部材３の数が限定されることは無く、使用者の希望により複数個の棚部材３を適宜使用し、収納空間Ｓを棚部材３により仕切った種々の収納スペースを構築した態様を示している。なお図１では、閉止された状態にある扉体１２の下側一部を破断して示している。
【００２４】
以下、ロッカーの具体的な構成について説明する。
【００２５】
ロッカー本体１は、本実施形態では板金素材を適宜成形することによって構成されたものであり、複数の収納空間Ｓを形成する筐体１１と、この筐体１１に形成されたそれぞれの収納空間Ｓを閉止し得る扉体１２と、各収納空間Ｓ内の例えば上限付近の位置に形成され小物類を載置し得る上棚１３とを有している。筐体１１は、床面に接地される底壁１４と、この底壁１４の両端に立設される側壁１６と、この側壁１６の上端間に亘って形成される頂壁１５と、これら底壁１４、側壁１６及び頂壁１５により形成された正面視矩形状をなす空間を仕切り各収納空間Ｓを構成する仕切壁１７とを有している。すなわち筐体１１は、二つの収納空間Ｓを仕切るための仕切壁１７を複数設けることによって仕切られた互いに隣接する複数の、具体的には本実施形態では三つの収納空間Ｓを有している。また本実施形態では隣接する側壁１６及び仕切壁１７又は仕切壁１７同士が、棚受け２を設けるための対向壁に相当する。
【００２６】
また本実施形態では図２（ｂ）に示すように、側壁１６には棚受け２を取り付けるための取付板１９が溶接により固定されている。取付板１９は側壁１６に溶接された溶接板１９ａと、この溶接板１９ａから側壁１６に離間すべく突出する離間板１９ｂと、この離間板１９ｂから上方へ延出する立板１９ｃとを有している。
【００２７】
更に本実施形態では図３（ａ）に示すように、仕切壁１７には棚受け２を取り付けるための係合孔１７ａ及び挿通孔１７ｂが設けられている。そして係合孔１７ａの上端１７ｃ及び下端１７ｄが、棚受け２の固定に寄与しているが、この点に関しては後に説明する。
【００２８】
扉体１２は、各収納空間Ｓの正面側を開閉し得るように回動可能に構成されたものであり、使用者に把持操作されるための把手１８を有したものである。上棚１３は、収納空間Ｓの上端付近に設けられた板金材を主体としたものである。
【００２９】
そして扉体１２には、使用者がロッカーを好適に使用するために設けられた各オプション部材が取り付けられている。当該オプション部材は、扉体１２の表面上端付近に取り付けられた名札入れＯＰ１と、扉体１２の裏面側上部に取り付けられたミラーＯＰ２と、このミラーＯＰ２の若干下側に取り付けられ種々の小物類を載置し得るトレイＯＰ３とこのトレイＯＰ３の下側に設けられたフック部ＯＰ４とを有している。本実施形態ではトレイＯＰ３は、一端側を平面視円形状に窪ませることによって図示しないペットボトルや缶飲料を載置し得るように構成されたボトル受けＯＰ３１と、このボトル受けＯＰ３１に隣接し小物類を載置し得る皿部ＯＰ３２と、両端から下方に概略Ｕ字状に樹脂素材を垂下させて設けたタオル掛けＯＰ３３とを有している。フック部ＯＰ４は、トレイＯＰ３の若干下方に設けられ、手提げのバックや買い物袋等を好適に掛け止めておくことができるものである。また本実施形態では図示しないが、オプション部材としては他に、扉体１２の裏面側下部において図示しない傘を保持しておくための傘入れを別途設けても良い。
【００３０】
しかして本実施形態に係るロッカーは、収納空間Ｓの下側部分において、左右の立壁である対向壁間に形成された棚受け２に、着脱可能に構成された棚部材３を設けている。そして当該棚部材３は、棚受け２に対し所定の向きで取り付けられた第一の姿勢（Ｐ）及び当該第一の姿勢（Ｐ）から反転させて前記第一の姿勢（Ｐ）よりも物品を載置するための棚面３ａの高さ位置を異ならせた第二の姿勢（Ｑ）を選択的にとり得ることを特徴としている。
【００３１】
以下、棚受け２及び棚部材３の構成について説明する。
【００３２】
棚受け２は、棚部材３の一部を掛け止めることにより当該棚部材３を支持するフレーム受け２１を主体としたものであり、対をなす対向壁、すなわち側壁１６の一面側並びに仕切壁１７の両面にそれぞれ一箇所のみ、対向する棚受け２同士が同一高さとなるように設けられている。本実施形態では、この棚部材３は、棚受け部材たる端部棚受け部材２Ｂ及び中間棚受け部材２Ａを構成する一要素をして設けられている。図２には筐体１１の側壁１６に取り付け得るように構成された端部棚受け部材２Ｂの構成を示し、図３には筐体１１の仕切壁１７に取り付け得るように構成された中間棚受け部材２Ａの構成を示している。
【００３３】
端部棚受け部材２Ｂは、図２（ａ）に示すように、筐体１１の側壁１６に例えば溶接によって固定された取付板１９に固定し得るように構成されている。具体的には端部棚受け部材２Ｂは、奥行き方向両端に棚受け２が設けられるとともに、取付板１９の立板１９ｃに係り合う上爪２Ｂ１及び横爪２Ｂ２と、取付板１９の下端に当接する下リブ２Ｂ３とを有している。そして同図（ｂ）に示すように、端部棚受け部材２Ｂを取付板１９へ向けて押圧するように取り付けることによって端部棚受け部材２Ｂの一部が経過的に弾性変形しながら取付板１９の立板１９ｃに嵌合する。これにより端部棚受け部材２Ｂは側壁１６に固定される。
【００３４】
中間棚受け部材２Ａは、図３（ａ）〜（ｃ）に示すように、仕切壁１７に取り付けられ当該仕切壁１７から二つの収納空間Ｓへ向けて突出する対をなす棚受け２を有する。またこの中間棚受け部材２Ａが、奥行き方向に前記棚受け２を間欠的に複数有している。具体的には同図（ｃ）に示すように、この中間棚受け部材２Ａは仕切壁１７の左右両方から棚受け２が少なくとも前後二箇所、一方からは中央からも突出するように構成したものである。当該中間棚受け部材２Ａは、仕切壁１７において前後に設けられた対をなす係合孔１７ａ及びこれら係合孔１７ａの中間に介在する挿通孔１７ｂを設けた箇所に取り付けられる。この中間棚受け部材２Ａは、仕切壁１７の何れか一方から当接する板状部２Ａ１と、係合孔１７ａの下端１７ｄに当接する下端部２Ａ２と、係合孔１７ａの上端１７ｃに係り合い下端部２Ａ２とともに棚受け２の上下動を禁止する固定爪２Ａ３とを有している。そして同図（（ｂ）に示すように、三つの棚受け２を係合孔１７ａ及び挿通孔１７ｂを通過させた状態で下端部２Ａ２を係合孔１７ａの下端１７ｄへ押し付けると、下端部２Ａ２が係合孔１７ａの下端１７ｄに当接しつつ固定爪２Ａ３が係合孔１７ａの上端１７ｃに係り合うために、同図（ａ）、（ｃ）に示すように仕切壁１７に固定されるようになっている。
【００３５】
棚部材３は、図４に示すように、本実施形態では例えば金属製の線材を主体として構成したものである。棚部材３は、幅方向端部に設けられて棚受け２と係合するフレーム３１と、少なくとも一方のフレーム３１から高さ方向に延びる腕部３２と、この腕部３２の延出端に設けられる棚面３ａを有する棚部３３とを有する。フレーム３１は、正面視において線材を鈍角に折り曲げて構成した概略チャネル形状をなすものである。すなわちフレーム３１を当該形状とすることにより、棚部材３は腕部３２の延出方向と棚面３ａとのなす角度が９０°より大きく構成された、第一の姿勢（Ｐ）では上向き開口形状をなす。棚部３３は、このフレーム３１における直線状をなす中間部分に他の線材を複数架け渡すことにより棚面３ａを構成する。腕部３２は、棚部３３の端部からフレーム３１を構成する線材を延出させその端部を棚受け２に支持させるものであるが、当該腕部３２はフレーム３１とは別体に構成してもよい。本実施形態では便宜上、棚部材３が上向き開口形状をなしている姿勢を第一の姿勢（Ｐ）とし、棚部材３が下向き開口形状をなしている姿勢を第二の姿勢（Ｑ）としている。
【００３６】
ここで、本実施形態に係るロッカーは、図１の下側及び図５に示すように、対向壁に対をなす棚受け２、棚部材３を反転させて取り付けることで棚面３ａの高さを変更可能とした前記棚部材３が概略コ字形をなすものであって、当該棚部材３を上下反転させて棚面３ａの高さ位置を変更可能としている。
【００３７】
すなわち図１の下側に示すように、棚部材３を第一の姿勢（Ｐ）、第二の姿勢（Ｑ）とすることにより、使用者は棚面３ａを所望の高さ位置として好適に収納空間Ｓを利用することができる。また同図では、棚部材３を敢えて棚受け２に取り付けず、底壁１４に載置することで、収納空間Ｓの下端部分を仕切り、例えばスリッパ等を好適に収容し得る収容スペースを構築する態様を図示している。
【００３８】
更に図５に示すように本実施形態では、棚受け２に垂直方向に２以上の前記フレーム３１を係合可能としている。これにより、一対の棚受け２に対し第一の姿勢（Ｐ）並びに第二の姿勢（Ｑ）とした棚部材３を取り付けることにより、二つの棚部材３により上下に仕切られた新たな収納スペースを構築することも可能である。また同図では、棚部材３の片方の棚受け２にのみ支持させることにより棚面３ａを略垂直として、左右方向に仕切られた新たな収納スペースを構築した態様をも図示している。このように本実施形態によれば、棚部材３により収納空間Ｓを様々な態様で仕切ることによる、バリエーションに富んだ収納スペースを構築することができる。
【００３９】
以上のように、本実施形態に係るロッカーは、棚部材３を反転させるという簡便な作業のみで棚面３ａの高さ位置を変更することが可能となり、使用者にとっては自身の用途に応じた棚面３ａを容易に選択できるものとなっている。すなわち本実施形態によれば、簡素な構成でありながらも棚面３ａの高さ位置を容易に変更可能な棚部材３を有したロッカーが実現されている。
【００４０】
また本実施形態では、対をなす棚受け２を同一高さに設け、棚部材３が概略コ字形をなすものとして、当該棚部材３を上下反転して前記棚面３ａの高さ位置を変更可能としているので、棚面３ａへの荷重の掛かり方が均等となり、棚部材３の姿勢変更に係る操作方法が直感的に解かり易いものとなっている。
【００４１】
そして本実施形態では棚受け２が第一の姿勢（Ｐ）において上向き開口形状のものとしているので、棚受け２に対する係脱操作が簡単に行い得るものとなっている。
【００４２】
また本実施形態の棚部材３は正面視チャネル形状としつつ腕部３２の延出方向と棚面３ａとのなす角度を９０°より大きい鈍角としているので、棚部材３を回転により反転するときに壁との干渉を有効に回避できるようになっている。
【００４３】
特に本実施形態では、棚受け２を設ける具体的な態様として仕切壁１７から二つの収納空間Ｓへ向けて突出する対をなす棚受け２を有する中間棚受け部材２Ａを適用することで、部品点数を削減することで製造工程の簡素化並びに棚部材３の組み付け作業の簡略化を実現している。
【００４４】
そして本実施形態では中間棚受け部材２Ａを、奥行き方向に棚受け２を間欠的に複数設けている態様とすることで、仕切壁１７へ加工面積を抑えることで仕切壁１７自体の強度を担保しつつ好適に棚受け２の取り付けを行い得るものとなっている。
【００４５】
また本実施形態に係るロッカーでは、棚受け２が、前記対をなす対向壁にそれぞれ一箇所のみ設けられている簡素な態様としても上述の通り、棚部材３による収納空間Ｓの種々の仕切り形態が実現されている。
【００４６】
＜第二実施形態＞
【００４７】
以下、本発明の第二実施形態について図６及び図７に示して説明する。当該第二実施形態について上記実施形態の構成要素に相当するものに対しては同じ符号を付すとともに、その詳細な説明を省略する。
【００４８】
本実施形態に係るロッカーは図６に示すように、棚部材３が正面視において略Ｌ字形をなすものであって、当該棚部材３を上下反転又は左右反転して前記棚面３ａの高さを変更可能としている。
【００４９】
また本実施形態では図７に示すように、上記実施形態とは異なり、棚部材３を支持している対向して面する対をなす棚受け２が異なる高さに設けられる態様を示している。また本実施形態に示す棚受け２は、筐体１１の側壁１６の一面並びに仕切壁１７の両面から突出して設けられている点は上記実施形態同様である。しかし同実施形態の棚受け２は、当該棚受け２の形状が水平方向に二つのフレーム３１を係合可能とすべく、第一受け２２と、第二受け２３とを有する。
【００５０】
そして本実施形態では図７に示すように、棚部材３を左右に反転させることで一の収納空間Ｓにおいて互いに干渉せずに異なる高さに棚面３ａを形成したり、所要の高さに棚面３ａを配置したりすることで、上記実施形態同様収納空間Ｓを棚部材３により種々の態様で仕切ることでバリエーションに富んだ収納スペースを構築することができる。
【００５１】
また本実施形態のように、棚部材３を略Ｌ字形をなすものとして、当該棚部材３を上下反転又は左右反転して棚面３ａの高さを変更可能としているので、上記実施形態同様、本実施形態に係るロッカーは、部材すなわち棚部材３の姿勢変更に係る操作方法が直感的に解かり易いようになっている。
【００５２】
以上、本発明の一実施形態について説明したが、各部の具体的な構成は、上述した実施形態のみに限定されるものではなく、本発明の趣旨を逸脱しない範囲で種々変形が可能である。
【００５３】
例えば上記実施形態では棚部材を金属製の線材によって構成したが勿論、棚受けに支持され得るものであれば棚部材を構成する素材は問わない。また上記各実施形態では棚部材を収納空間の下端近傍に取り付ける態様のみ開示したが勿論、収納空間における棚部材の配置は棚受けが取り付け得る箇所である限り自由に設定することができる。
【００５４】
また、棚部材や棚受けの数、更にはロッカーに用いる他のオプション部材の具体的な仕様といったその他の詳細な構成も、本発明の趣旨を逸脱しない範囲で種々変形が可能である。
【符号の説明】
【００５５】
１・・・ロッカー本体
１６・・・対向壁（側壁）
１７・・・対向壁（仕切壁）
２・・・棚受け
２Ａ・・・棚受け部材（中間棚受け部材）
３・・・棚部材
３ａ・・・棚面
３１・・・フレーム
３２・・・腕部
３３・・・棚部
Ｐ・・・第一の姿勢
Ｑ・・・第二の姿勢
Ｓ・・・収納空間
【図１】
2018051096.tif 000003
【図２】
2018051096.tif 000004
【図３】
2018051096.tif 000005
【図４】
2018051096.tif 000006
【図５】
2018051096.tif 000007
【図６】
2018051096.tif 000008
【図７】
2018051096.tif 000009